(57)【要約】  【課題】  本考案者は、従来の治療器具と比べて、より大きい筋硬結の症状軽減効果を発揮することができる治療器具を提供することが重要であると考えている。  【解決手段】  人体の皮膚１００へ温度差刺激を与えるための治療器具２００であって、一端２１１が直接的にまたは間接的に皮膚１００と接触させられる筒状部材２１０と、一端２２１が直接的にまたは間接的に皮膚１００と接触させられる、筒状部材２１０へ挿入された柱状部材２２０と、を備え、筒状部材２１０の一端２１１および柱状部材２２０の一端２２１の内の、一方は皮膚１００を押圧している状態において、筒状部材２１０の一端２１１および柱状部材２２０の一端２２１の内の、他方は皮膚１００を連打可能である構造を有し、少なくとも皮膚１００を押圧する一方は、金属製であることを特徴とする治療器具２００である。【選択図】  図２
0003213695.tif 000002
【実用新案登録請求の範囲】
【請求項１】
人体の皮膚へ温度差刺激を与えるための治療器具であって、
一端が直接的にまたは間接的に前記皮膚と接触させられる筒状部材と、
一端が直接的にまたは間接的に前記皮膚と接触させられる、前記筒状部材へ挿入された柱状部材と、
を備え、
前記筒状部材の前記一端および前記柱状部材の前記一端の内の、一方は前記皮膚を押圧している状態において、前記筒状部材の前記一端および前記柱状部材の前記一端の内の、他方は前記皮膚を連打可能である構造を有し、
少なくとも前記皮膚を押圧する前記一方は、金属製であることを特徴とする治療器具。
【請求項２】
前記筒状部材は、円筒状であり、
前記柱状部材は、円柱状であることを特徴とする請求項１に記載の治療器具。
【請求項３】
前記筒状部材および前記柱状部材は、銅製であることを特徴とする請求項１または２に記載の治療器具。
【考案の詳細な説明】
【技術分野】
【０００１】
本考案は、たとえば、肩こりのような局所筋硬結の症状を軽減するための治療器具に関する。
【背景技術】
【０００２】
使用者の手が届かない部分を容易にマッサージすることができるマッサージ装置が、知られている（たとえば、特許文献１参照）。
【０００３】
同マッサージ装置は、手持型マッサージ器を収容することができる本体部を備える。本体部は、柔軟性を有する取付けジグの内部に手持型マッサージ器を出入れ可能に収容している。
【０００４】
このようなマッサージ装置は、筋硬結の度合を軽減させる効果を発揮する非薬物性および非侵襲性の治療器具として普及している。
【先行技術文献】
【特許文献】
【０００５】
【特許文献１】２０１３−１２６４９１号公報
【考案の概要】
【考案が解決しようとする課題】
【０００６】
しかしながら、本考案者は、従来の治療器具と比べて、より大きい筋硬結の症状軽減効果を発揮することができる治療器具を提供することが重要であると考えている。
【０００７】
本考案は、上述された従来の課題を考慮し、筋硬結の症状を軽減することができる治療器具を提供することを目的とする。
【課題を解決するための手段】
【０００８】
第１の本考案は、人体の皮膚へ温度差刺激を与えるための治療器具であって、
一端が直接的にまたは間接的に前記皮膚と接触させられる筒状部材と、
一端が直接的にまたは間接的に前記皮膚と接触させられる、前記筒状部材へ挿入された柱状部材と、
を備え、
前記筒状部材の前記一端および前記柱状部材の前記一端の内の、一方は前記皮膚を押圧している状態において、前記筒状部材の前記一端および前記柱状部材の前記一端の内の、他方は前記皮膚を連打可能である構造を有し、
少なくとも前記皮膚を押圧する前記一方は、金属製であることを特徴とする治療器具である。
【０００９】
これにより、筒状部材の一端および柱状部材の一端の内の、一方は皮膚を押圧している状態において、筒状部材の一端および柱状部材の一端の内の、他方は皮膚を連打可能である構造を有し、少なくとも皮膚を押圧する一方は、金属製であるので、筋硬結の症状を軽減することができる。
【００１０】
第２の本考案は、前記筒状部材は、円筒状であり、
前記柱状部材は、円柱状であることを特徴とする第１の本考案の治療器具である。
【００１１】
これにより、筒状部材は、円筒状であり、柱状部材は、円柱状であるので、器具構成を簡素化することができる。
【００１２】
第３の本考案は、前記筒状部材および前記柱状部材は、銅製であることを特徴とする第１または第２の本考案の治療器具である。
【００１３】
これにより、筒状部材および柱状部材は、銅製であるので、筋硬結の症状をより顕著に軽減することができる。
【考案の効果】
【００１４】
本考案により、筋硬結の症状を軽減することが可能な治療器具を提供することができる。
【図面の簡単な説明】
【００１５】
【図１】本考案における実施の形態の治療器具の模式的な斜視図
【図２】本考案における実施の形態の治療器具の模式的な正面図
【図３】本考案における変形例の実施の形態の治療器具の模式的な正面図
【図４】（ａ）本考案における実施の形態の治療器具による大腿部施療の熱分布を説明する図面代用写真（その一）、（ｂ）本考案における実施の形態の治療器具による大腿部施療の熱分布を説明する図面代用写真（その二）、（ｃ）本考案における実施の形態の治療器具による大腿部施療の熱分布を説明する図面代用写真（その三）、（ｄ）本考案における実施の形態の治療器具による大腿部施療の熱分布を説明する図面代用写真（その四）、（ｅ）本考案における実施の形態の治療器具による大腿部施療の熱分布を説明する図面代用写真（その五）、（ｆ）本考案における実施の形態の治療器具による大腿部施療の熱分布を説明する図面代用写真（その六）、（ｇ）本考案における実施の形態の治療器具による大腿部施療の熱分布を説明する図面代用写真（その七）、（ｈ）本考案における実施の形態の治療器具による大腿部施療の熱分布を説明する図面代用写真（その八）
【考案を実施するための形態】
【００１６】
以下、図面を参照しながら、本考案における実施の形態について詳細に説明する。
【００１７】
はじめに、図１を参照しながら、本実施の形態の治療器具２００について具体的に説明する。
【００１８】
ここに、図１は、本考案における実施の形態の治療器具２００の模式的な斜視図である。
【００１９】
治療器具２００は、人体の皮膚１００へ温度差刺激を与えるための治療器具であって、筒状部材２１０と、柱状部材２２０と、を備える。
【００２０】
本考案者は、家庭で使用可能な従来のマッサージ装置より優れた、筋硬結の度合を軽減させる効果を発揮する治療器具に応用可能な基礎技術は極めて重要であると考えている。治療器具２００は、肩こり患部、腰痛患部もしくは筋痛患部、または反応経穴などに接触させられるこのような治療器具であり、血行をよくし、硬くなっている筋肉をほぐし、経絡の循環をよくするために使用され、従来の非侵襲性治療機器としてのマッサージ装置などと比べて、大きい筋硬結の症状軽減効果を発揮することができる。
【００２１】
筒状部材２１０は、一端２１１が直接的にまたは間接的に皮膚１００と接触させられる部材である。
【００２２】
たとえば、筒状部材２１０の一端２１１は、何も介さずにまたは薄い衣服などを介して上方から皮膚１００と接触させられる。
【００２３】
筒状部材２１０は、円筒状である。
【００２４】
なお、たとえば、筒状部材２１０は、角筒状であってもよい。
【００２５】
柱状部材２２０は、一端２２１が直接的にまたは間接的に皮膚１００と接触させられる、筒状部材２１０へ挿入された部材である。
【００２６】
たとえば、柱状部材２２０の一端２２１は、何も介さずにまたは薄い衣服などを介して上方から皮膚１００と接触させられる。
【００２７】
柱状部材２２０は、円柱状である。
【００２８】
なお、たとえば、柱状部材２２０は、角柱状であってもよい。
【００２９】
治療器具２００は、筒状部材２１０の一端２１１は皮膚１００を押圧している状態において、柱状部材２２０の一端２２１は皮膚１００を連打可能であるとともに、柱状部材２２０の一端２２１は皮膚１００を押圧している状態において、筒状部材２１０の一端２１１は皮膚１００を連打可能である構造を有する。
【００３０】
図２に示されているように、筒状部材２１０の筒孔には、柱径が筒内径より少し小さい柱状部材２２０が摺動可能に挿入されている。
【００３１】
ここに、図２は、本考案における実施の形態の治療器具２００の模式的な正面図である。
【００３２】
筒状部材２１０は施療者の右手により両矢印Ｘで示された上下方向において往復運動させられ、筒状部材２１０の一端２１１は皮膚１００の円環状部分である被連打部分１１０を連打させられる。そして、柱状部材２２０は施療者の左手により保持され、柱状部材２２０の一端２２１は皮膚１００の円板状部分である被押圧部分１２０を押圧させられる。
【００３３】
要するに、治療器具２００は、筒状部材２１０の一端２１１および柱状部材２２０の一端２２１の内の、一方は皮膚１００を押圧している状態において、筒状部材２１０の一端２１１および柱状部材２２０の一端２２１の内の、他方は皮膚１００を連打可能である構造を有すればよい。
【００３４】
なお、たとえば、図３に示されているように、筒状部材２１０は電動機構により上下方向において往復運動させられてもよい。
【００３５】
ここに、図３は、本考案における変形例の実施の形態の治療器具２００の模式的な正面図である。
【００３６】
筐体２３０は、柱状部材２２０の他端２２２を支持し、モーター２４１を有する駆動機構２４０を収納する筐体である。カム機構２５０は、シリンダー２５１を有する。シリンダー２５１の上面には、上端がモーター２４１と連結されている回転軸２５２の下端が連結されている。シリンダー２５１の周面には、溝２５３が形成されている。連結棒２５４の一端は筒状部材２１０と連結されており、連結棒２５４の他端は溝２５３へ嵌合されている。溝２５３の形状は、回転軸２５２がモーター２４１により矢印Ｙで示された向きに沿って回転させられると、他端が溝２５３へ嵌合されている連結棒２５４が両矢印Ｘで示された上下方向において往復運動させられることにより、筒状部材２１０は上下方向において往復運動させられるような形状である。
【００３７】
このように、柱状部材２２０による吸熱および筒状部材２１０による打撃は、局所温冷刺激として血管を伸縮させ、人体の皮膚１００へ温度差刺激を効果的に与える。
【００３８】
さらに、電子、イオンおよび中性分子が筒状部材２１０および柱状部材２２０の物体表面から往復運動による摩擦により放出されるトライボエミッション現象が発生するので、電子放電が長い期間にわたって続く。マッサージ効果の発揮に付随するこのような電子放電は、二種類の金属の組合せによる帯電とは異なるメカニズムで、血行を促進すると考えられる。
【００３９】
筒状部材２１０および柱状部材２２０は、銅製である。
【００４０】
たとえば、筒状部材２１０および柱状部材２２０は、純銅製またはクロム銅製である。
【００４１】
組合せられた二つの銅製部材である筒状部材２１０および柱状部材２２０が接触させられるので、温熱効果および的鍼様効果が相乗的に発揮され、二種類の金属の組合せによるカルバニック効果を利用する従来の指圧棒などでは改善されない、筋硬結部の血液循環は大きく改善される。そして、非侵襲性筋硬結治療機器、ならびに内服薬剤および外用薬による治療は困難であった筋硬結の顕著な緩和が、病院においてのみならず、家庭においても容易に実現される。
【００４２】
図４（ａ）〜図４（ｈ）を参照しながらより具体的に説明すると、つぎの通りである。
【００４３】
ここに、図４（ａ）〜図４（ｈ）は、本考案における実施の形態の治療器具２００による大腿部施療の熱分布を説明する図面代用写真（その一から八）である。
【００４４】
このような熱分布を説明する図面代用写真は、サーモグラフィーによる撮像を利用して生成される。
【００４５】
図４（ａ）においては、施療のスタート時の状態が撮像されている。皮膚１００の温度は、およそ３５．４度である。
【００４６】
図４（ｂ）および図４（ｃ）においては、施療が継続している、施療のスタート時を基準として１分１８秒後の状態が撮像されている。図４（ｂ）においては、皮膚１００のみならず、柱状部材２２０も撮像されている。皮膚１００の被押圧部分１２０の温度は、皮膚１００の被連打部分１１０の温度よりかなり低く、柱状部材２２０の温度とほぼ同じであり、およそ３１．３度である。
【００４７】
図４（ｄ）および図４（ｅ）においては、施療が終了した、施療のスタート時を基準として５分２４秒後の状態が撮像されている。図４（ｄ）においては、皮膚１００のみならず、柱状部材２２０も撮像されている。皮膚１００の被押圧部分１２０の温度は、皮膚１００の被連打部分１１０の温度よりかなり低く、柱状部材２２０の温度とほぼ同じであり、およそ３２．３度である。
【００４８】
図４（ｆ）においては、施療のスタート時を基準として７分０２秒後の状態が撮像されている。皮膚１００の温度は、およそ３４．９度である。
【００４９】
図４（ｇ）においては、施療のスタート時を基準として９分２４秒後の状態が撮像されている。皮膚１００の温度は、およそ３５．９度である。
【００５０】
図４（ｈ）においては、施療のスタート時を基準として１２分５８秒後の状態が撮像されている。皮膚１００の温度は、およそ３６．８度である。
【００５１】
金属については、比熱と呼ばれる熱容量および熱伝導率がしばしば比較的に大きい。
【００５２】
特に、銅については、比熱と呼ばれる熱容量および熱伝導率が両方ともかなり大きい。
【００５３】
したがって、銅は、同じ体積で銅を他の金属などと比較すると、皮膚１００の熱を早く吸収し、大きい吸収熱量を有する。
【００５４】
このため、柱状部材２２０の押圧による表面部温度降下は、かなり大きくおよそ４．１（＝３５．４−３１．３）〜４．２度である。
【００５５】
そして、筒状部材２１０の連打による表面部温度上昇は、およそ１．４（＝３６．８−３５．４）度である。
【００５６】
このように、皮膚１００の被押圧部分１２０の温度、および皮膚１００の被連打部分１１０の温度は有意に変化し、施療部である大腿部の皮膚１００のおよそ１２分間における表面部温度変化はかなり大きくおよそ５．５（＝３６．８−３１．３）〜５．６度である。
【００５７】
深部温度変化は表面部温度変化と同様であり、筒状部材２１０の一端２１１および柱状部材２２０の一端２２１が、直接的に皮膚１００と接触させられているか、間接的に皮膚１００と接触させられているかにかかわらず、温度差刺激による血流改善効果は期待される。鍼が効果を発揮する科学的なメカニズムはまだ十分に解明されていないが、鍼治療における的鍼類似の効果が期待される。
【００５８】
なお、たとえば、筒状部材２１０および柱状部材２２０の内の、一方は鉄製、チタン製、アルミニウム製またはステンレス鋼製であってもよく、筒状部材２１０および柱状部材２２０の内の、他方はＰＶＣ（ｐｏｌｙｖｉｎｙｌ  ｃｈｌｏｒｉｄｅ）樹脂製またはＰＯＭ（ｐｏｌｙｏｘｙｍｅｔｈｙｌｅｎｅ）樹脂製であってもよい。
【００５９】
要するに、少なくとも皮膚１００を押圧する一方は、金属製であればよい。
【００６０】
本考案者は、組合せられて相対的に移動させられる二つの金属製部材である筒状部材２１０および柱状部材２２０を直接的にまたは間接的に皮膚１００と接触させ、皮膚１００の表面部から血流をよくして筋硬結を緩和する思想は、類似した応用例を豊富に有すると考えている。たとえば、銅線が編まれたザルのような銅製網目状部材または銅製筒状部材の中に入れられた銅製球状部材が移動させられる、本考案に関連する考案における変形例の実施の形態が、考えられる。
【産業上の利用可能性】
【００６１】
本考案における治療器具は、筋硬結の症状を軽減することができ、たとえば、肩こりのような局所筋硬結の症状を軽減するための治療器具に利用する目的に有用である。
【符号の説明】
【００６２】
１００  皮膚
１１０  被連打部分
１２０  被押圧部分
２００  治療器具
２１０  筒状部材
２１１  一端
２２０  柱状部材
２２１  一端
２２２  他端
２３０  筐体
２４０  駆動機構
２４１  モーター
２５０  カム機構
２５１  シリンダー
２５２  回転軸
２５３  溝
２５４  連結棒
【図１】
0003213695.tif 000003
【図２】
0003213695.tif 000004
【図３】
0003213695.tif 000005
【図４】
0003213695.tif 000006